(57)【要約】【課題】羽根の走行終了時の衝撃を効果的に緩和しつつ、緩衝部材の破損を防止することができるフォーカルプレンシャッタ等を提供する。【解決手段】フォーカルプレンシャッタ１００は、露光開口１０ａが形成されたシャッタ地板１０と、露光開口１０ａを開閉するための複数の羽根本体２１〜２４を有する先羽根２０と、先羽根２０と連結され、先羽根２０を走行駆動する先羽根用駆動部材と、先羽根２０に作用する衝撃を緩和する緩衝部材３０と、を備える。複数の羽根本体２１〜２４のうち少なくとも１つは、先羽根２０の走行方向側の一辺部が曲げられて形成された曲げ部２１ｂを有する。緩衝部材３０は、曲げ部２１ｂの曲げ形状に合わせて切り欠かれた形状に形成された当接部３０ａを有する。複数の羽根本体２１〜２４が重畳したときにおいて、曲げ部２１ｂと当接部３０ａとが当接する。【選択図】図１
2018159904.tif 000002
【特許請求の範囲】
【請求項１】
露光開口が形成された地板と、
前記露光開口を開閉するための矩形薄板状の複数の羽根本体を有する羽根部材と、
前記羽根部材と連結され、前記羽根部材を走行駆動する駆動部材と、
前記羽根部材に作用する衝撃を緩和する緩衝部材と、を備え、
前記複数の羽根本体のうち少なくとも１つは、平板部と、この平板部の一辺部が曲げられて形成された曲げ部とを有し、
前記緩衝部材は、前記曲げ部の曲げ形状に合わせて切り欠かれた形状に形成された当接部を有し、
前記複数の羽根本体が重畳したときにおいて、前記曲げ部と前記当接部とが当接する、
フォーカルプレンシャッタ。
【請求項２】
前記複数の羽根本体のうち、露光スリットを形成するスリット形成羽根は、前記曲げ部を有する、
請求項１に記載のフォーカルプレンシャッタ。
【請求項３】
前記緩衝部材は、前記地板の、前記羽根部材の走行方向側の一辺部に固定される、
請求項１または２に記載のフォーカルプレンシャッタ。
【請求項４】
前記緩衝部材は、その外面の一部が切り欠かれた形状に形成された空洞部を有する、
請求項１から３のいずれか１項に記載のフォーカルプレンシャッタ。
【請求項５】
請求項１から４のいずれか１項に記載のフォーカルプレンシャッタを備える、撮像装置。
【発明の詳細な説明】
【技術分野】
【０００１】
本発明は、フォーカルプレンシャッタ並びにこれを備える撮像装置に関する。
【背景技術】
【０００２】
フォーカルプレンシャッタにおいて、シャッタ動作（露光動作）の際に高速走行する羽根の走行終了時の衝撃を軽減するために、羽根の走行終了位置に緩衝部材が設けられることがある。例えば、特許文献１は、羽根の走行終了位置において羽根と当接し、その際に弾性変形し得るループ形状の緩衝部材を備える羽根駆動装置（フォーカルプレンシャッタ）を開示している。
【先行技術文献】
【特許文献】
【０００３】
【特許文献１】特開２０１１−１７０２２６号公報
【発明の概要】
【発明が解決しようとする課題】
【０００４】
しかし、高い剛性を有する金属や合成樹脂からなる薄板状の羽根の側縁部による局部的な当接が繰り返されると、緩衝部材に切れ込みや亀裂が生じ、緩衝性能の低下や摩耗粉（異物）の発生等を招く虞がある。
【０００５】
本発明は、上記実情に鑑みてなされたものであり、羽根の走行終了時の衝撃を効果的に緩和しつつ、緩衝部材の破損を防止することができるフォーカルプレンシャッタ並びにこれを備える撮像装置を提供することを目的とする。
【課題を解決するための手段】
【０００６】
上記の目的を達成するため、本発明に係るフォーカルプレンシャッタは、
露光開口が形成された地板と、
前記露光開口を開閉するための矩形薄板状の複数の羽根本体を有する羽根部材と、
前記羽根部材と連結され、前記羽根部材を走行駆動する駆動部材と、
前記羽根部材に作用する衝撃を緩和する緩衝部材と、を備え、
前記複数の羽根本体のうち少なくとも１つは、平板部と、この平板部の一辺部が曲げられて形成された曲げ部とを有し、
前記緩衝部材は、前記曲げ部の曲げ形状に合わせて切り欠かれた形状に形成された当接部を有し、
前記複数の羽根本体が重畳したときにおいて、前記曲げ部と前記当接部とが当接する。
【０００７】
前記複数の羽根本体のうち、露光スリットを形成するスリット形成羽根は、前記曲げ部を有する、
ようにしてもよい。
【０００８】
前記緩衝部材は、前記地板の、前記羽根部材の走行方向側の一辺部に固定される、
ようにしてもよい。
【０００９】
前記緩衝部材は、その外面の一部が切り欠かれた形状に形成された空洞部を有する、
ようにしてもよい。
【００１０】
また、本発明に係る撮像装置は、上記フォーカルプレンシャッタを備える。
【発明の効果】
【００１１】
本発明によれば、羽根の走行終了時の衝撃を効果的に緩和しつつ、緩衝部材の破損を防止することができるフォーカルプレンシャッタ並びにこれを備える撮像装置を提供することができる。
【図面の簡単な説明】
【００１２】
【図１】本実施の形態に係るフォーカルプレンシャッタにおいて、シャッタ動作開始前に先羽根が露光開口を閉鎖した状態を示す図である。
【図２】シャッタ動作中に先羽根が露光開口を開放した状態を示す図である。
【図３】先羽根のシャッタ動作終了時にスリット形成羽根が緩衝部材に当接した状態を示す図である。
【図４】スリット形成羽根の斜視図である。
【図５】スリット形成羽根の断面図である。
【図６】緩衝部材の斜視図である。
【図７】緩衝部材の断面図である。
【図８】スリット形成羽根と緩衝部材の関係を説明するための断面図である。
【図９】変形例１に係るスリット形成羽根と緩衝部材の関係を説明するための断面図である。
【図１０】変形例２に係る緩衝部材の斜視図である。
【図１１】変形例２に係るスリット形成羽根と緩衝部材の関係を説明するための断面図である。
【発明を実施するための形態】
【００１３】
以下、図面を参照しながら、本発明の実施の形態に係るフォーカルプレンシャッタについて説明する。
【００１４】
本実施の形態に係るフォーカルプレンシャッタは、撮像素子を有する撮像装置等に設けられる。撮像装置は、例えば、デジタルカメラを含むカメラ、監視カメラである。撮像素子は、例えば、ＣＣＤ（Charge Couples Device）、ＣＭＯＳ（Complementary Metal Oxide Semiconductor）のイメージセンサである。
【００１５】
まず、図１を参照して、本実施の形態に係るフォーカルプレンシャッタ１００の構成を説明する。なお、以下では、図１の正面側（手前側）が撮像素子側であり、図１の背面側が被写体側（撮影レンズ側）であるものとして説明する。また、本実施の形態では、先羽根、後羽根といわれる２つのシャッタ羽根を先羽根用駆動部材と後羽根用駆動部材を駆動してそれぞれ走行させることにより開閉動作させるフォーカルプレンシャッタにおいて、本発明を先羽根に適用する例についてのみ説明するものとする。しかし、本発明は、後羽根に対しても適用可能であることはもちろん、１つの羽根を備えるフォーカルプレンシャッタや、先羽根用駆動部材および後羽根用駆動部材が複数の駆動部材により構成されているフォーカルプレンシャッタ等にも適用可能である。
【００１６】
本実施の形態に係るフォーカルプレンシャッタ１００は、図１〜図３に示すように、シャッタ地板１０、先羽根２０、緩衝部材３０を備える。また、フォーカルプレンシャッタ１００は、この他に、図示しない、露光開口１０ａを開放するように先羽根２０を走行駆動してシャッタ動作（露光動作）をさせる先羽根用駆動部材、露光開口１０ａを開閉する後羽根、露光開口１０ａを閉鎖するように後羽根にシャッタ動作をさせる後羽根用駆動部材、先羽根用駆動部材および後羽根用駆動部材をシャッタ動作前のセット位置にセットするセット部材、先羽根駆動部材をセット位置に吸着保持する先羽根用電磁石、後羽根駆動部材をセット位置に吸着保持する後羽根用電磁石を備える。
【００１７】
シャッタ地板１０は、合成樹脂等を用いて略矩形の平板状に作製されており、その略中央部には、横長の長方形の露光開口１０ａが形成されている。また、シャッタ地板１０の正面側には、先羽根２０を収容する羽根室を画定する中間板（不図示）と、後羽根を収容する羽根室を画定する補助地板（不図示）とが、所定の間隔をおいて取り付けられている。中間板と補助地板には、それぞれの略中央部に、露光開口１０ａの形状と類似する形状の開口が形成されている。被写体光を通過させるためのシャッタユニットとしての露光開口の形状は、これらの開口と露光開口１０ａを重ね合わせることにより形成される。本実施の形態では、露光開口の形状が露光開口１０ａの形状と略同一であるものとして説明する。
【００１８】
シャッタ地板１０の露光開口１０ａの右側の領域には、円弧状の２つの長孔１０ｂ，１０ｃが形成されている。中間板と補助地板の長孔１０ｂ，１０ｃと重なる領域には、長孔１０ｂ，１０ｃと略同一形状の長孔がそれぞれ形成されている。また、長孔１０ｂと長孔１０ｃの下端部には、ゴム等の弾性材料からなる平面形状が略Ｃ字状の当接部材（不図示）がそれぞれ取り付けられている。この当接部材は、シャッタ動作終了時に駆動部材の駆動ピンを当接させて衝撃を緩和するための部材である。
【００１９】
シャッタ地板１０の背面、すなわち被写体側の面には、支軸１１ａ，１１ｂが立設されている。また、シャッタ地板１０の正面、すなわち撮像素子側の面には、支軸１１ｃ，１１ｄ，１１ｅが立設されている。これらの支軸のうち、支軸１１ｃは支軸１１ａと、支軸１１ｄは支軸１１ｂと、それぞれ、同心上に立設されている。
【００２０】
なお、シャッタ地板１０の被写体側の面には、実際には、このほかにも、駆動部材をシャッタ動作（露光動作）前のセット位置にセットするセット部材を回転可能に取り付けるための支軸や、駆動部材をセット位置において磁気的に吸着保持する電磁石等が設置された支持板をシャッタ地板１０と並行に取り付けるための複数の柱が立設されている。
【００２１】
先羽根２０は、シャッタ地板１０と中間板との間の羽根室内を走行（移動）するメカニカル方式の先幕シャッタ（先羽根部材）である。先羽根２０は、一端が支軸１１ｃ周りに回転可能に取り付けられた先羽根アーム２５と、一端が支軸１１ｅ周りに回転可能に取り付けられた先羽根アーム２６と、これらの自由端である他端に向けて順に枢支された４枚の羽根本体２４，２３，２２、２１から構成される。ここで、最も自由端側に枢支された羽根本体２１が、露光スリットを形成するスリット形成羽根である。また、先羽根用駆動部材の駆動ピンは、シャッタ地板１０の長孔１０ｂに挿入され、その先端部が先羽根アーム２５に形成された長孔２５ａに嵌合されている。
【００２２】
セット動作の際、セット部材によって先羽根用駆動ばねの付勢力に抗して先羽根用駆動部材が時計回りに回転することに伴って、先羽根アーム２５が時計回りに回転させられることにより、図１に示すように、４枚の羽根本体２１〜２４が相互の重なりを小さくしながら展開して露光開口１０ａを閉鎖する。
【００２３】
また、シャッタ動作の際、先羽根用駆動部材を反時計回りに回転させるように付勢する先羽根用駆動ばねの付勢力によって先羽根用駆動部材が反時計回りに回転することに伴って、先羽根アーム２５が反時計回りに回転させられることにより、図２に示すように、４枚の羽根本体２１〜２４が相互の重なりを大きくしながら重畳して露光開口１０ａを開放する。
【００２４】
スリット形成羽根である羽根本体２１は、図４に示すように、矩形状の平板部２１ａと、曲げ加工が施された曲げ部２１ｂとを有する。曲げ部２１ｂは、図５に示すように、平板部２１ａの走行方向側の一辺部が長手方向に沿って所定の角度αで折り曲げられて形成され、走行終了時に緩衝部材３０に当接する。ここで、角度αは、３０°〜９０°の範囲内であることが好ましい。
【００２５】
緩衝部材３０は、図１〜３に示すように、シャッタ地板１０の正面側の面の下辺部に固定され、駆動部材の回転停止に伴って先羽根２０が走行停止する際の衝撃を緩和するためのゴム等の弾性材料からなる部材である。緩衝部材３０は、図６に示すように、長尺な略直方体形状であり、先羽根２０の走行終了時に羽根本体２１の曲げ部２１ｂと当接する当接部３０ａを有する。この当接部３０ａは、緩衝部材３０の上部が曲げ部２１ｂの曲げ形状に合わせて切り欠かれた形状に形成されている。当接部３０ａは、例えば、図５に示すように、羽根本体２１の曲げ部２１ｂの形状が、角度αで折り曲げられて形成されたものである場合、当接部３０ａは、図７に示すように、角度αと略等しい角度βで斜めに平面状に切り欠かれた形状に形成される。
【００２６】
次に、緩衝部材３０による緩衝作用について説明する。
【００２７】
先羽根２０のシャッタ動作終了時、先羽根用駆動部材の駆動ピンが長孔１０ｂの下端部に設けられた当接部材に当接し、先羽根用駆動部材の反時計回りの回転が停止すると、これに伴って、先羽根アーム２５，２６の反時計回りの回転が停止する。このとき、羽根本体２１〜２４の走行が終了し、図３に示すように、先羽根アーム２５，２６の最も自由端側に枢支された羽根本体２１が緩衝部材３０に当接する。この当接によって緩衝部材３０は弾性変形しながら衝撃を吸収する。
【００２８】
より詳細には、羽根本体２１の曲げ部２１ｂは、図５に示す角度αで折り曲げられており、緩衝部材３０の当接部３０ａは、図７に示す角度βで斜めに平面状に切り欠かれた形状に形成されている。緩衝部材３０の長手方向の長さは、羽根本体２１が有する曲げ部２１ｂの長手方向の長さと略等しい。また、角度αと角度βとが略等しいため、図８に示すように、曲げ部２１ｂの傾斜下面２１ｂｂ全体が当接部３０ａの当接面３０ａａに当接する。
【００２９】
このように、羽根本体２１が曲げ加工が施された曲げ部２１ｂを有するとともに、緩衝部材３０が羽根本体２１の曲げ部２１ｂの形状に合わせて切り欠かれた形状の当接部３０ａを有することにより、羽根本体２１が緩衝部材３０に当接する際の当接面積を大きくすることができ、当接圧力を分散させることができる。
【００３０】
次に、図１〜図３を参照して、フォーカルプレンシャッタ１００の動作について説明する。
【００３１】
（初期状態）
図１は、セット部材によるセット動作が完了した後の初期状態を示す。先羽根用駆動部材は、シャッタ動作前のセット位置においてセット部材により係止される。したがって、先羽根２０は、図１に示すように、露光開口１０ａが閉鎖状態となるように開いた状態で露光開口１０ａを覆っている。後羽根用駆動部材は、シャッタ動作前のセット位置においてセット部材により係止される。したがって、後羽根は、露光開口１０ａが開放状態となるように畳まれた状態で露光開口１０ａの上方に位置する。セット部材は、先羽根用駆動部材を先羽根用駆動ばねの付勢力に抗して係止するとともに、後羽根用駆動部材を後羽根用駆動ばねの付勢力に抗して係止する。
【００３２】
（撮影開始）
初期状態においてフォーカルプレンシャッタ１００を備える撮像装置のレリーズボタンが押下されると、先羽根用電磁石および後羽根用電磁石に通電され、先羽根用駆動部材および後羽根用駆動部材は、先羽根用電磁石および後羽根用電磁石によって吸着保持される。
【００３３】
（セット部材退避）
先羽根用駆動部材および後羽根用駆動部材が先羽根用電磁石および後羽根用電磁石によって吸着保持された状態において、セット部材は、付勢ばねの付勢力によって所定方向に回転し、セット位置から退避位置に戻る。これにより、先羽根用駆動部材および後羽根用駆動部材の係止が解除されるものの、先羽根用電磁石および後羽根用電磁石によって吸着保持された状態が維持されているため、反時計回りの回転が抑止される。
【００３４】
（先羽根シャッタ動作）
次に、先羽根用電磁石の通電が停止されることにより、先羽根用駆動部材の反時計回りの回転の抑止が解除され、先羽根用駆動部材は、図２に示すように、支軸１１ａを中心に反時計回りに回転する。これにより、先羽根２０の羽根本体２１〜２４は、隣接する羽根本体同士の重なり量を大きくして重畳しながら下方向に移動して露光開口１０ａを開放する。先羽根用駆動部材の反時計回りの回転は、羽根用駆動部材の駆動ピンが長孔１０ｂの下端部に設けられた当接部材に当接することにより停止する。このとき、羽根本体２１の曲げ部２１ｂが緩衝部材３０の当接部３０ａに当接し、走行終了時における衝撃が緩和される。
【００３５】
（後羽根シャッタ動作）
続いて、先羽根用電磁石の通電の停止から所定時間経過後、後羽根用電磁石の通電が停止されることによって、後羽根用駆動部材の回転の抑止が解除される。これにより、後羽根用駆動ばねによって反時計回りに付勢されている後羽根用駆動部材は、反時計回りに回転し、後羽根用駆動部材の駆動ピンが長孔１０ｃの上端から下端に走行する。後羽根用駆動部材の駆動ピンの走行により、後羽根は、露光開口１０ａを覆うように下方に移動しながら広がり、露光開口１０ａを閉鎖する。これにより、先羽根２０および後羽根による一連のシャッタ動作が終了する。
【００３６】
（セット動作）
次に、セット部材は、次の撮影に備え、先羽根用駆動部材と後羽根用駆動部材のそれぞれに駆動力を与えて係止するセット動作を行う。セット部材は、図示しない駆動機構の駆動力によって、付勢ばねの付勢力に抗して所定方向に回転する。セット部材の回転に伴い、先羽根用駆動部材は、先羽根用駆動ばねの付勢力に抗して時計回りに回転する。また、後羽根用駆動部材は、後羽根用駆動ばねの付勢力に抗して時計回りに回転する。後羽根駆動部材の回転により、後羽根は、露光開口１０ａを開くように上方向に移動しながら畳まれ、露光開口１０ａを開放する。また、先羽根駆動部材の回転により、先羽根２０の羽根本体２１〜２４は、隣接する羽根本体同士の重なり量を小さくして展開しながら上方向に移動して露光開口１０ａを閉鎖する。
【００３７】
セット部材は、駆動機構により所定角度回転したところでその回転を停止させられてセット位置に保持される。このように、先羽根用駆動部材および後羽根用駆動部材はシャッタ動作前のセット位置にセットされ、先羽根２０および後羽根にシャッタ動作をさせるための駆動力がチャージされる。このように、フォーカルプレンシャッタ１００は、図１に示す初期状態に戻る。
【００３８】
以上に説明したように、フォーカルプレンシャッタ１００は、先羽根２０のスリット形成羽根である羽根本体２１には、走行方向側の一辺部に曲げ加工が施されて形成された曲げ部２１ｂが設けられ、緩衝部材３０には、羽根本体２１の曲げ部２１ｂの形状に合わせて切り欠かれた形状の当接部３０ａが設けられている。これにより、従来のように薄板状の羽根の側縁部が緩衝部材に直線状に当接する場合と比較して、羽根本体２１が緩衝部材３０に当接する際の当接面積を大きくすることができ、当接圧力を分散させることができる。すなわち、先羽根２０の走行終了時の衝撃を効果的に緩和しつつ、緩衝部材３０の表面の外傷や内部に生じる応力を低減することによって緩衝部材３０の破損を防止することができる。
【００３９】
上記の実施の形態では、フォーカルプレンシャッタ１００の先羽根２０に対して本発明を適用する例について説明した。しかし、羽根本体２１が有する曲げ部２１ｂおよび緩衝部材３０が有する当接部３０ａに係る構成は、後羽根に対しても適用可能である。例えば、後羽根のスリット形成羽根に曲げ部２１ｂと同様の曲げ部を設け、後羽根を収容する中間板と補助地板との間の羽根室内において、緩衝部材３０と同様の後羽根用の緩衝部材を設置することにより、後羽根用駆動部材の回転停止に伴う走行終了時における後羽根の衝撃を緩和するとともに、後羽根用の緩衝部材の破損を防止することができる。なお、羽根本体２１が有する曲げ部２１ｂおよび緩衝部材３０が有する当接部３０ａに係る構成は、先羽根２０および後羽根のそれぞれに対して適用されてもよい。
【００４０】
なお、本発明は、上記の実施の形態に限定されず、種々の変形及び応用が可能である。前記の実施の形態は、次のように変形されてもよい。
【００４１】
（変形例１）
上記の実施の形態では、羽根本体２１の曲げ部２１ｂが走行方向側の一辺部を長手方向に沿って角度αで折り曲げられて形成され、緩衝部材３０の当接部３０ａが角度αと略等しい角度βで斜めに平面状に切り欠かれた形状に形成された例について説明した。しかし、曲げ部２１ｂおよび当接部３０ａの形状はこれに限られない。例えば、図９に示すように、羽根本体２１の曲げ部２１ｂを走行方向側の一辺部を湾曲形状となるように曲げ加工を施し、緩衝部材３０の当接部３０ａを曲げ部２１ｂの形状に合わせて湾曲状に切り欠かれた形状とすることができる。このような変形例によっても、フォーカルプレンシャッタ１００は、羽根部材の走行終了時の衝撃を効果的に緩和しつつ、緩衝部材の破損を防止することができる。
【００４２】
（変形例２）
また、緩衝部材３０に、図１０および図１１に示すように、空洞部３０ｂが設けられてもよい。空洞部３０ｂは、例えば、緩衝部材３０の底面中央部が長手方向に沿って切り欠かれて直方体状に形成される。図１１に示すように、空洞部３０ｂの奥行き（左右幅）Ｄは、平板部２１ａの厚さＴの５倍程度であることが好ましい。なお、羽根本体２１の曲げ部２１ｂが緩衝部材３０の当接部３０ａに当接した状態において、羽根本体２１の平板部２１ａの厚み幅の中心を通る板厚中心線ＣＬ１と空洞部３０ｂの左右幅方向の中心を通る中心線ＣＬ２とが一致する必要はない。また、空洞部３０ｂの左右方向の側面３０ｂａまたは側面３０ｂｂの位置が、板厚中心線ＣＬ１を基準として左右いずれかに２ｍｍ程度ずれていてもよい。
【００４３】
緩衝部材３０は、当接部３０ａに羽根本体２１の曲げ部２１ｂが当接して強い外力を受けたとき、空洞部３０ｂの形状が歪むことにより、下方に潰れ変形する。これにより、先羽根２０の走行終了時の衝撃はより効果的に吸収され、先羽根２０の反動（バウンド）も抑制される。また、緩衝部材３０が外力に対して柔軟に変形することにより、羽根本体２１との当接面積を大きくして当接圧力を更に分散させることが可能となるため、その破損をより効果的に防止することができる。
【００４４】
なお、空洞部３０ｂは、先羽根２０の走行終了時の衝撃を効果的に吸収でき、かつ、外力がなくなったときに緩衝部材３０が元の形状に復元できることを条件に、緩衝部材３０の底面以外に形成されてもよく、また、その数も任意である。また、変形例２に係る羽根本体２１の曲げ部２１ｂおよび緩衝部材３０の当接部３０ａの形状は、変形例１に係る羽根本体２１の曲げ部２１ｂおよび緩衝部材３０の当接部３０ａの形状と同様、湾曲状にしてもよい。また、本変形例において挙げた数値は一例であり、羽根の厚さ、大きさ、素材などに応じて他の数値が用いられてもよいことは言うまでもない。
【００４５】
以上の実施の形態および変形例は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また特許請求の範囲に記載した発明と均等な発明も本発明に含まれる。
【符号の説明】
【００４６】
１０  シャッタ地板
１０ａ  露光開口
１０ｂ，１０ｃ  長孔
１１ａ，１１ｂ，１１ｃ，１１ｄ，１１ｅ  支軸
２０  先羽根
２１，２２，２３，２４  羽根本体
２１ａ  平板部
２１ｂ  曲げ部
２１ｂｂ  傾斜下面
２５，２６  先羽根アーム
２５ａ  長孔
３０  緩衝部材
３０ａ  当接部
３０ａａ  当接面
３０ｂ  空洞部
３０ｂａ，３０ｂｂ  側面
１００  フォーカルプレンシャッタ
ＣＬ１  板厚中心線
ＣＬ２  中央線
Ｄ  奥行き
Ｔ  厚さ
【図１】
2018159904.tif 000003
【図２】
2018159904.tif 000004
【図３】
2018159904.tif 000005
【図４】
2018159904.tif 000006
【図５】
2018159904.tif 000007
【図６】
2018159904.tif 000008
【図７】
2018159904.tif 000009
【図８】
2018159904.tif 000010
【図９】
2018159904.tif 000011
【図１０】
2018159904.tif 000012
【図１１】
2018159904.tif 000013